(57)【要約】      （修正有）【課題】一定の期間に、電力消費量を目標以下に制限せざるを得ない状況下において、需要家の機器稼働ニーズを最大限満足するように、機器稼働パターンを作成するシステムを提供する。【解決手段】入力された条件のうち満足される条件の要求度の合計値が最大となるように作成された機器稼働パターンを表示し、当該機器稼働パターンによって、入力された機器稼働要求のうち、許容されたものと棄却されたものを同一画面上に区別して表示する手段と、当該機器稼働パターンによる対象需要家の需給バランスの変化パターンを同一画面上に表示する手段と、棄却された機器稼働要求を必ず許容するように強制許容指定する手段と、棄却された機器稼働要求を強制許容指定した場合に、代わりに棄却されることになる機器稼働要求を区別表示する手段と、強制許容指定したときの影響が最も少ない、棄却された機器稼働要求を区別表示する手段と、を備える。【選択図】図１
2014054123.tif 000002
【特許請求の範囲】
【請求項１】
需要家における電力需給バランスを計算して需要家内負荷機器の稼働パターンを定める電力需要管理システムにネットワークを介して接続された需要家エネルギー管理装置であって、
需要家エネルギー管理装置は、需要家が需要家内負荷機器毎に稼働させたい時間帯や稼働状態に関する条件と、その要求度を対応付けたデータである機器稼働要求を入力する入力手段と、前記電力需要管理システムにおいて作成された、前記入力された条件のうち満足される条件の要求度の合計値を最大とする修正機器稼働パターンを表示する表示手段とを備え、
かつ前記表示手段には、入力された機器稼働要求のうち、許容されたものと棄却されたものを同一画面上に区別して表示されることを特徴とする需要家エネルギー管理装置。
【請求項２】
請求項１に記載の需要家エネルギー管理装置において、
前記表示手段には、前記修正機器稼働パターンによる対象需要家の需給バランスの変化パターンが同一画面上に表示されていることを特徴とする需要家エネルギー管理装置。
【請求項３】
請求項１又は請求項２に記載の需要家エネルギー管理装置において、
前記入力手段には、機器稼働要求が仮に棄却された場合に、この機器稼働要求を必ず許容するように強制許容を指定する手段を備えることを特徴とする需要家エネルギー管理装置。
【請求項４】
請求項３に記載の需要家エネルギー管理装置において、
前記表示手段には、前記棄却された機器稼働要求を強制許容した場合に、代わりに棄却されることになる機器稼働要求を区別表示する手段を備えることを特徴とする需要家エネルギー管理装置。
【請求項５】
請求項３または請求項４に記載の需要家エネルギー管理装置において、
前記表示手段には、強制許容指定したときの影響が最も少ない、棄却された機器稼働要求を区別表示する手段を備えることを特徴とする、需要家エネルギー管理装置。
【請求項６】
請求項１から請求項５のいずれか１項に記載の需要家エネルギー管理装置において、
前記入力手段には、機器稼働要求の入力時に、各機器に当該需要家の過去の機器稼働状況で利用頻度の高い時間帯に、あるいは、機器の一般的な利用時間帯にデフォルト設定する手段を備えることを特徴とする需要家エネルギー管理装置。
【請求項７】
電力需要管理システムと、需要家に設置された需要家エネルギー管理装置がネットワークを介して接続された需要家エネルギー管理システムであって、
前記需要家エネルギー管理装置は、当該需要家において需要家内負荷機器毎に稼働させたい時間帯や稼働状態に関する条件と、その要求度を対応付けたデータである機器稼働要求を作成して表示し、
前記電力需要管理システムは、前記ネットワークを介して得られた前記機器稼働要求に基づいて当該需要家の運転を実施した時の電力需給バランスを計算するとともに、修正機器稼働パターンを作成し、
前記需要家エネルギー管理装置は、前記電力需要管理システムにおいて作成された前記修正機器稼働パターンを、前記機器稼働要求のうち、許容されたものと棄却されたものを区別して表示することを特徴とする需要家エネルギー管理システム。
【請求項８】
請求項７記載の需要家エネルギー管理システムにおいて、
前記電力需要管理システムは、前記機器稼働要求のうち満足される条件の要求度の合計値を最大とする修正機器稼働パターンを与えることを特徴とする需要家エネルギー管理システム。
【請求項９】
請求項７または請求項８に記載の需要家エネルギー管理システムにおいて、
前記需要家エネルギー管理装置を設置した需要家は太陽光発電装置および蓄電池を備えており、前記電力需要管理システムは前記太陽光発電装置および蓄電池を電力供給源とする電力需給バランス計算を実施して修正機器稼働パターンを与えることを特徴とする需要家エネルギー管理システム。
【請求項１０】
請求項７または請求項８に記載の需要家エネルギー管理システムにおいて、
前記需要家エネルギー管理装置を設置した需要家は所定期間内の電力使用量が制限されており、前記電力需要管理システムは前記所定期間内の電力使用量を順守する電力需給バランス計算を実施して修正機器稼働パターンを与えることを特徴とする需要家エネルギー管理システム。
【請求項１１】
請求項７から請求項１０のいずれか１項に記載の需要家エネルギー管理システムにおいて、
前記需要家エネルギー管理装置は、修正機器稼働パターンに従い、当該需要家の需要家内負荷機器の運転を実行することを特徴とする需要家エネルギー管理システム。
【発明の詳細な説明】
【技術分野】
【０００１】
本発明は，需要家を対象にしたエネルギー管理装置およびシステムに係り、特にネットワークを介して各需要家の電力需給を管理する需要家エネルギー管理装置およびシステムに関する。
【背景技術】
【０００２】
需給逼迫や災害など電力使用制限時に、太陽光発電（以下、太陽光発電装置ＰＶという）や蓄電池を設置している需要家や地域では、これらを電力供給源として活用し、さらに需要家内負荷機器の使い方を調整して、優先度の高い需要家内負荷機器への電力供給をできるだけ確保することへのニーズが高まっている。
【０００３】
しかし、需要家内の太陽光発電装置ＰＶの発電出力を電力供給源として自給自足的に利用する場合や，電力系統運用上需要家の電力利用を抑制しようとする場合に，気象状況によっては太陽光発電装置ＰＶの発電出力が低下し，需要家の電力利用のニーズを全て満たせない，つまり，需要家が稼働させようとした機器の一部を停止させざるを得ない状況が発生する可能性もある。
【０００４】
これに対して，特許文献１には，停電時に稼働させる需要家の機器の優先順位を予め設定しておき，停電時には太陽光発電装置ＰＶと蓄電池で供給できる電力量の範囲で，優先順位が高い機器を優先して稼働させ，また，優先度の高い機器ほど電力供給許容時間を長く設定するシステムに関する記述がある。これにより，停電時の需要家の利便性や快適性を向上させることができる。
【先行技術文献】
【特許文献】
【０００５】
【特許文献１】特開２０１１−８３０８８号公報
【発明の概要】
【発明が解決しようとする課題】
【０００６】
特許文献１によれば、各時刻断面において優先順位が高い機器を優先して稼働させることができる。
【０００７】
しかし、需要家において、現在時点でのある機器の稼働を取りやめることで、後々の別の機器の稼働が可能になるなら、そちらを優先して稼働させたいというニーズや、現在時点でのある機器の稼働を取りやめることで、別の複数の機器の稼働が可能になるなら、そちらを優先して稼働させたいというニーズや、単純な稼働／停止の調整だけでなく、ある機器の運転に一定の制約、例えば、空調の設定温度緩和などを許容することで、他の機器の稼働の可能性を探りたいというニーズを考慮した機器稼働調整はできない。
【０００８】
以上のことから本発明の目的は、一定の期間に、電力消費量を目標以下に制限せざるを得ない状況下において、需要家の機器稼働ニーズを最大限満足するように、機器稼働パターンを作成するシステムを提供することにある。
【課題を解決するための手段】
【０００９】
前記した課題を解決するため、本発明は、需要家における電力需給バランスを計算して需要家内負荷機器の稼働パターンを定める電力需要管理システムにネットワークを介して接続された需要家エネルギー管理装置であって、
需要家エネルギー管理装置は、需要家が需要家内負荷機器毎に稼働させたい時間帯や稼働状態に関する条件と、その要求度を対応付けたデータである機器稼働要求を入力する入力手段と、電力需要管理システムにおいて作成された、入力された条件のうち満足される条件の要求度の合計値を最大とする修正機器稼働パターンを表示する表示手段とを備え、
かつ表示手段には、入力された機器稼働要求のうち、許容されたものと棄却されたものを同一画面上に区別して表示されることを特徴とする。
【００１０】
また前記した課題を解決するため、本発明は、電力需要管理システムと、需要家に設置された需要家エネルギー管理装置がネットワークを介して接続された需要家エネルギー管理システムであって、
需要家エネルギー管理装置は、当該需要家において需要家内負荷機器毎に稼働させたい時間帯や稼働状態に関する条件と、その要求度を対応付けたデータである機器稼働要求を作成して表示し、
電力需要管理システムは、ネットワークを介して得られた機器稼働要求に基づいて当該需要家の運転を実施した時の電力需給バランスを計算するとともに、修正機器稼働パターンを作成し、
需要家エネルギー管理装置は、電力需要管理システムにおいて作成された修正機器稼働パターンを、機器稼働要求のうち、許容されたものと棄却されたものを区別して表示することを特徴とする。
【００１１】
なお，本発明のその他の特徴は，発明を実施するための形態の欄で詳細に説明する。
【発明の効果】
【００１２】
本発明によれば、一定の期間に、電力消費量を目標以下に制限せざるを得ない状況下において、需要家の機器稼働ニーズを最大限満足するように、機器稼働パターンを作成するシステムを提供することができる。
【００１３】
なお、本発明の実施例によれば、一定の期間に、電力消費量を目標以下に制限せざるを得ない状況下において、現在時点である機器の稼働を取りやめることで、後々の別の機器の稼働が可能になるなら、そちらを優先して稼働させたいというニーズや、現在時点である機器の稼働を取りやめることで、別の複数の機器の稼働が可能になるなら、そちらを優先して稼働させたいというニーズや、単純な稼働／停止の調整だけでなく、ある機器の運転に一定の制約、例えば、空調の設定温度緩和などを許容することで、他の機器の稼働の可能性を探りたいという需要家の機器稼働ニーズに対して、これを最大限満足するように、機器稼働パターンを調整することが可能になる。
【図面の簡単な説明】
【００１４】
【図１】需要家エネルギー管理システムの全体構成例を示す図。
【図２】一般的な電力システムの全体構成例を示す図。
【図３】需要家端末ＥＭＳの入力表示枠組みを示す図。
【図４】需要家端末ＥＭＳの初期状態の表示内容を示す図。
【図５】需要家端末ＥＭＳの需要家入力後の使用計画入力段階の表示内容を示す図。
【図６】使用計画入力画面のアイコンの具体的事例を示す図。
【図７】機器稼働パターンデータＤＢ１の一例を示す図。
【図８】機器稼働要求データＤＢ２の具体的な一例を示す図。
【図９】要求適合度データＤＢ３の具体事例を示す図。
【図１０】需要家機器稼働パターンの作成処理を示すフローチャート。
【図１１】需要家端末ＥＭＳの最終的に表示された表示内容を示す図。
【発明を実施するための形態】
【００１５】
本発明を実施するための形態について、適宜図面を参照しながら詳細に説明する。
【実施例】
【００１６】
図２は、一般的な電力システムの全体構成例を示す図である。
【００１７】
電力システムは、電力を需要家Ｒに供給するシステムであり、発電設備Ｇで発電した電力を送電線Ｌ１、変電所設置の変圧器Ｔｒ１，高圧配電線Ｌ２を介して大規模需要家Ｒ１に供給する。大規模需要家Ｒ１としては一般にはビル、工場、スーパー、学校などがあり、多くの場合に６０００ボルトにて給電される。
【００１８】
これに対し高圧配電線Ｌ２に設置された柱上の変圧器Ｔｒ２により、１００ボルトあるいは２００ボルトに降圧して低圧配電線Ｌ３に接続している。低圧配電線Ｌ３には一般家庭などの小規模需要家Ｒ２（一般需要家ともいう）が接続され、電力が供給されている。
【００１９】
本発明は、いずれの需要家にも適用可能であるが、ここでは一般家庭に適用した事例で説明する。これらの需要家端には、エアコン，テレビ，洗濯機，乾燥機，冷蔵庫，電気給湯器などの電気負荷機器が設置され、電力の供給を受けている。これらは、いわゆる負荷である。
【００２０】
これに対し、需要家端には、蓄電池、また，太陽光発電装置ＰＶなどの発電設備機器も設置されることがある。以下では，これら需要家端に設置されている機器を需要家機器と総称するものとする。なお、需要家機器のうち負荷設備を需要家内負荷機器、発電設備を需要家内発電機器と称することがある。
【００２１】
図１は，本実施形態の需要家エネルギー管理システムの全体構成例を示す図である。需要家エネルギー管理システムは、各需要家Ｒに設置された需要家端末ＥＭＳ、例えば営業所などの電力供給側施設内に設置された電力需要管理システム（以下ＤＳＭサーバという）、およびこれらの間を接続する通信ネットワークＮＷで構成される。
【００２２】
なおＤＳＭサーバに接続された需要家端末ＥＭＳは、単体で需要家エネルギー管理装置を構成している。
【００２３】
電力需要管理システムであるＤＳＭサーバは、需要家Ｒの適宜の単位ごとに設置されればよいが、ここでは柱上変圧器Ｔｒ２により降圧された低圧配電線Ｌ３に接続された需要家Ｒを管理の対象とした事例で説明する。この場合には、図中の×印以下の地域の３件の需要家Ｒ２１，Ｒ２２，Ｒ２３を管理の対象とし、ＤＳＭサーバで電力使用制限を行い、その需要調整を行うものとする。
【００２４】
需要家Ｒ２１，Ｒ２２，Ｒ２３は、需要家内負荷機器の他に需要家内発電機器として、Ｒ２１では太陽光発電装置ＰＶ、蓄電池Ｂ、電気自動車充電装置ＥＶを備えており、Ｒ２２とＲ２３では太陽光発電装置ＰＶと蓄電池Ｂを備えている。需要家の太陽光発電装置ＰＶや蓄電池Ｂは、地域内の電力供給源となる。太陽光発電装置ＰＶは気象状況等に応じて成り行きで発電し，蓄電池Ｂは，電気負荷機器の消費電力のうち，太陽光発電装置ＰＶの発電電力で不足する電力を供給するように，蓄電池の充電残量や性能の制約のもとで制御され放電する。なお、電気自動車充電装置ＥＶは、その運用次第で負荷にも電源にもなり得る。
【００２５】
本発明の需要家エネルギー管理システムでは、電力供給側施設内に設置された電力需要管理システムであるＤＳＭサーバと、各需要家に設置された需要家端末ＥＭＳとが協同して機能することにより、災害など緊急時に需要家における電力使用量抑制のための需要調整を行う。需要家が発電設備を持つ場合も考えられるが、その場合は、需要家発電設備の発電量も含めたトータルの電力供給量の範囲内に電力使用量抑制する需要調整を行うことになる。
本発明はいずれの場合にも適用が可能であるが、ここでは需要家内発電機器を持つ場合を主体に説明していく。かつこの需要家は需要家内発電機器による電力供給容量の範囲内で運用することを目的とするものとする。
【００２６】
ＤＳＭサーバと、需要家端末ＥＭＳとが協同して機能する本発明の需要家エネルギー管理システムでは、最初に各需要家は、需要家内に設置された需要家端末ＥＭＳを用いて、電力使用計画日における希望する需要家内負荷機器の使用計画を入力する。
【００２７】
この場合に、需要家内負荷の中には、医療機器などのクリティカルな機器を利用するなど，所有する機器の違いや稼働ニーズには違いがあることが想定される。そのため、使用計画では需要家内負荷ごとの希望する使用時間帯のほかに、需要家内負荷の使用が不可欠であることの優先度の高さなどの情報もあわせて入力される。
【００２８】
需要家が希望する需要家内負荷機器の使用計画は、ＤＳＭサーバの判断を含めて調整され、電力使用計画日における決定された需要家内負荷機器の使用計画とされる。
【００２９】
需要家端末ＥＭＳは、電力使用計画日における決定された需要家内負荷機器の使用計画に従い，エネルギー使用状況の管理や各需要家機器（需要家内負荷機器、需要家内発電機器）の制御を行う。具体的には、ＤＳＭサーバから需要家機器稼働計画パターンを受信し，これを実現するように，各需要家機器に稼働状態を変更する制御信号を送信する。なお，需要家機器稼働計画パターンを需要家端末ＥＭＳのＵＩ（Ｕｓｅｒ  Ｉｎｔｅｒｆａｃｅ）画面上に表示するのみとし，需要家がこれを参照して，機器の設定変更を手動で行う形態も考えられる。
【００３０】
需要家が希望する需要家内負荷機器の使用計画に対して、ＤＳＭサーバは需要家内における電力需給状態を考慮した新たな需要家内負荷機器の使用計画を提案する。具体的には、ＤＳＭサーバは、対象地域内の太陽光発電装置ＰＶの発電電力，蓄電池の放電電力，需要家内負荷機器の消費電力のトータルの需給バランスを維持するように機能する。かつ対象地域内の需要家の電力利用のニーズ（利便性や快適性）を最大限実現するように機能する。ＤＳＭサーバは、上記観点から需要家の需要家内負荷機器の稼働状態を調整する計画を策定し，需要家機器稼働計画パターンとして各需要家端末ＥＭＳに配信する。
【００３１】
需要家内負荷機器の稼働状態の調整手法としては，シンプルな起動／停止の切り替えのほか，空調間欠運転，照明間引き点灯，さらには空調設定温度調整などによる部分負荷運転調整など，複数の手法が考えられる。３０分等周期的に計画パターンを更新し，各需要家端末ＥＭＳに配信する。
【００３２】
需要家端末ＥＭＳは、ＤＳＭサーバと協同して上記機能を実現するものであり、このために需要家内負荷機器の使用計画の入力と表示を行うことができ、かつＤＳＭサーバにおける判断の根拠となっている各種情報（例えば電力需給の関係）が表示されるものである必要がある。
【００３３】
係る目的に合致する需要家端末ＥＭＳは、例えば図３に示すようなＵＩ画面を備えた入力表示端末として構成される。一例の需要家端末ＥＭＳは、上下に領域分割されており、上部領域が需要家内負荷機器の使用計画入力表示欄Ｗ１，下部が電力需給表示欄とされている。使用計画入力表示欄Ｗ１はさらに複数欄に細分されており、左側から需要家ＩＤ表示欄Ｗ１１，需要家内負荷機器表示欄Ｗ１２，時間帯別使用計画入力表示欄Ｗ１３で構成されている。
【００３４】
また下部領域の電力需給表示欄Ｗ２も複数欄に細分されており、左側から総合表示欄Ｗ２１，需給バランス表示欄Ｗ２２、時間帯別電力量表示欄Ｗ２３で構成されている。
【００３５】
さらに各欄Ｗの具体的な入力表示例を述べる。まず、初期状態の表示内容について図４で説明する。ここで初期状態とは、需要家の家人が、電力使用計画日（ここでは、例えば７月１日とする）における希望する需要家内負荷機器の使用計画を、入力する直前の状態を言っている。
【００３６】
この初期状態において、需要家ＩＤ表示欄Ｗ１１にはこの需要家がＲ２１であること、及び適合度と、設定点数と、持ち点数を表示するための表示箱Ｂ１とが表示されている。なお、適合度と、設定点数と、持ち点数について後述する。
【００３７】
需要家内負荷機器表示欄Ｗ１２を構成する複数の小欄には、需要家内負荷機器が例えばエアコン、電気給湯器、冷蔵庫であること、及び需要家内負荷機器ごとに適合度と，総要求度を表示するための表示箱Ｂ２１、Ｂ２２，Ｂ２３が上段から個別に表示されている。なお、総要求度について後述する。また需要家内負荷機器が他にも存在する場合には、適宜スクロールなどにより画面移動して、入力表示することができる。なおこれらの需要家内負荷機器の各項目については、隣接する時間帯別使用計画入力表示欄Ｗ１３に３０分間隔ごとの使用計画が入力、表示されるが、この段階でははまだ入力、表示されていない。
【００３８】
下部領域の電力需給表示欄Ｗ２についてみると、左側の総合表示欄Ｗ２１には総合（ＴＯＴＡＬ）として、適合度と、設定点数と、総枠を表示するための表示箱Ｂ３が表示されている。なお、総枠について後述する。
【００３９】
需給バランス表示欄Ｗ２２を構成する複数の小欄には、太陽光発電ＰＶ，蓄電池残量、需要負荷及び需給バランスの各項目が表示されている。これらの項目については隣接する時間帯別電力量表示欄Ｗ２３に３０分間隔ごとの電力値が棒グラフ表示されるが、この段階では表示されていない。
【００４０】
このように初期状態では、枠組みと、入力、表示項目のみが表示されている。次に需要家が希望する需要家内負荷機器の使用計画を、需要家の家人が入力した後の使用計画入力段階の画面の一例を、図５を用いて説明する。
【００４１】
この場合の需要家の家人が要望する電力使用計画日の需要家機器は、エアコンについて朝の６時から７時までの１時間（表示Ａ）と、昼の１２時から１５時までの３時間（表示Ｂ）使用したいというものである。また電気給湯器について、朝の６時から７時までの１時間（表示Ｃ）、冷蔵庫については、終日稼働（表示Ｅ）したい。なお、昼の１２時から１５時までの３時間のうち、少なくとも２時間は使用したいという条件付きの要望とすることも可能である。
【００４２】
以上は需要家の家人の要望による計画の入力であるが、家人の意図とは別に入力されるものがある。例えば、この需要家は電気給湯器を使用するため、夜間の深夜電力利用による電気給湯器負荷が生じている。これは朝の早い時間帯のいずれかの２時間（表示Ｄ）として、図５上に反映される。なおこの状態では、表示Ｄは確定した時間帯ではないので、とりあえず早朝の時間帯として６時半までの２時間の時間帯に仮表示させている。
【００４３】
需要家端末ＥＭＳは、上記入力または表示のための手段として例えばタッチパネルなどのＵＩ画面を備えており、必要なアイコンの表示、消去、長さの設定、各種文字、数値の入力、表示などが可能なものとされている。この手段については、特に限定されないが、需要家端末ＥＭＳが入力、表示のために備えるべき機能について、後述する。
【００４４】
図６は、図５において需要家の家人が入力した使用計画入力画面のアイコンＡ乃至Ｅの具体的事例を示している。アイコンＡ乃至Ｅは、その長さが稼働を希望する時間長さを表しており、アイコンＡ，Ｃはこの時間帯の１時間の運転希望を意味している。アイコンＢ，Ｅの「ｍｉｎ」は運転を希望する最低運転時間を意味しているが、アイコンＢではその長さが１２時から１５時の３時間に及ぶことから、この３時間のうちの少なくとも２時間の運転を希望していることを意味する。アイコンＥでは、２４時間とされているので終日運転希望を意味する。アイコンＤは、とりあえずこの時間帯に仮表示されている。
【００４５】
各アイコンの内部に設けられた小窓には、例えばアイコンＡでは８、アイコンＢでは３、アイコンＣでは１０が入力されている。この窓内数値は、各需要家内機器の要求度であり、数値が高いほどこの需要家内機器の使用の要求が高いことを意味している。数値が１０である冷蔵庫の終日使用と、６時台の電気給湯器の使用が、他の各需要家内機器に比べて高く、使用が不可欠であることの大きさを表している。
【００４６】
さらにアイコン内の小窓には、表示スペースが許される限りにおいて、多くの情報が表示されている。アイコンＢの「冷」、アイコンＤの「蓄」、アイコンＥの「Ｏｎ」は各需要家内機器の運転状態（運転モード）であり、それぞれ冷房運転、蓄熱運転、運転状態Ｏｎを意味している。アイコンＢの「２８」は、エアコンの設定温度が２８度であることを意味する。なお、アイコンの「入力」、「Ｆｉｘ」について後述する。
【００４７】
このようにして入力された電力使用計画日の希望する需要家内負荷機器の使用計画は、通信ネットワークＮＷを介して例えば営業所などの電力供給側施設内に設置された電力需要管理システム（ＤＳＭサーバ）に伝送される。以下、図１に戻り、ＤＳＭサーバについて説明する。
【００４８】
図１のＤＳＭサーバは、データ管理部３４、需要家機器稼働計画部３２、需要家端末ＥＭＳ通信部３３、入出力部３０、全体制御部３１で構成される。
【００４９】
このうちデータ管理部３４は、需要家機器稼働計画の効果的な策定のために各種のデータを保持するデータベースＤＢで構成されている。主要なデータベースは、機器稼働パターンデータＤＢ１、機器稼働要求データＤＢ２、要求適合度データＤＢ３、需給バランスデータＤＢ４、供給力予測データＤＢ５、需要家内負荷機器消費電力データＤＢ６、気象予測データＤＢ７、機器特性データＤＢ８であり、データ管理部３４はこれらのデータを管理する。
【００５０】
以下、主要なデータベースについて事例を挙げて説明する。まず、機器稼働パターンデータＤＢ１は，対象期間内各時刻における各需要家機器の稼働状態の変更内容を与えるデータである。特に，需要家機器の外部から実行可能な変更が対象である。
【００５１】
ここでまず「稼働状態の変更内容」について説明すると、これは電気機器によって異なる。例えば、エアコンであれば、電源Ｏｎ，電源Ｏｆｆ，運転モード切替，設定温度変更などが稼働状態の変更内容に該当し、これらの変更によりエアコンが消費する電力量が変更される。電気給湯器であれば、電源Ｏｎ，電源Ｏｆｆ，蓄熱運転の起動や停止，運転モード切替などが稼働状態の変更内容に該当し、これらの変更により電気給湯器が消費する電力量が変更される。乾燥機であれば、電源Ｏｎ，電源Ｏｆｆ，運転モード切替などがある。
【００５２】
これに対し、単純に電源のＯｎ，Ｏｆｆによるしか変更内容を備えないものもある。例えば、テレビについては、電源Ｏｎ，電源Ｏｆｆなど、冷蔵庫については、電源Ｏｎ，電源Ｏｆｆなど、洗濯機については、電源Ｏｎ，電源Ｏｆｆなどでしか電力変更の手段を有しない。
【００５３】
機器稼働パターンデータＤＢ１の一例を図７に示す。この機器稼働パターンは、需要家ＩＤ毎に作成されている。例えば需要家Ｒ２１の場合、ここで使用する需要家機器ごとの稼働状態の変更内容を、時系列的に纏めている。
【００５４】
図７において、需要家機器として例えば冷蔵庫に着目すると、これは図５にも示したように終日運転を行う。従って、例えば３０分単位で記述すると、いずれの時刻でも運転モードがＯｎにされている。
【００５５】
エアコンは、図５の計画では朝の６時から７時までの１時間と、昼の１２時から１５時までの３時間使用する。このため、この時間帯の記憶内容としては、運転モードが冷房であり、設定温度が２８度と記憶されている。当該時間帯以外には変更内容の情報はなく、エアコンが停止されていることを意味している。なお、エアコンの設定温度が２８度であることは、需要家端末ＥＭＳによる設定項目の中に含まれて、家人による設定がなされた事項の一部である。
【００５６】
電気給湯器は、朝６時までの深夜に運転モードがＯｎとされている。なお図５には示していないが、テレビが１２時から１５時までの間使用されることも記憶されている。
【００５７】
次にデータ管理部３４内の機器稼働要求データＤＢ２について説明する。これは，各需要家がどの需要家機器をどの時間帯にどのくらいの要求度で稼働させたいかを与えるデータである。このデータは、各需要家が需要家端末ＥＭＳを介して入力した情報であり，ＤＳＭサーバに登録されたものである。
【００５８】
機器稼働要求データＤＢ２のデータモデルは，需要家のニーズを電力需要管理システム（ＤＳＭサーバ）内に取り込む手段として重要な要素になる。機器稼働要求データＤＢ２は，複数の単要求データを束ねたものである。つまり、需要家機器ごとの使用計画を単要求データとするとき，この需要家についての全ての需要家機器の使用計画を２４時間分纏めたものが機器稼働要求データＤＢ２である。
【００５９】
このように、個々の単要求データは，図５の需要家内負荷機器表示欄Ｗ１２の一列ごとの小欄について，時間帯別使用計画入力表示欄Ｗ１３に記述した情報であり、それぞれは需要家ＩＤ，需要家機器，対象期間，稼働条件，稼働時間，要求度を対応付けるデータである。
【００６０】
なお、稼働条件や要求度の情報は、図５のアイコンＡ−Ｅの一部に文字あるいは数値入力された情報であり、需要家において設定する情報である。このうち例えば稼働条件は、エアコンの設定温度を２８度にすることなどであり、要求度はこの需要家内負荷機器を使用したい希望の度合いの大きさを数値表現したものである。例えばエアコンの要求度を３、テレビの要求度を１としたときには、テレビを我慢してもエアコンを使用したいということを意味している。
【００６１】
図８は、図５のようにして入力された需要家内負荷機器の使用計画を纏めた機器稼働要求デー
タＤＢ２の具体的な一例を示している。図８の事例の各列の記述内容（単要求データ）の詳細については、今までの説明及び図８から容易に理解できることなのでその説明を省略する。ここでは、このデータベースから読み解くことができる事項について参考的に解説しておく。図８の例のように登録することで，下記の要求を表現することができる。
【００６２】
単要求Ｎｏ１：要求度が１０であり、このことから冷蔵庫の常時稼働は、他の需要家内負荷機器に比してそのニーズが高いことを表現している。
【００６３】
単要求Ｎｏ２：エアコンを，電力使用計画日（７／１）の１２時〜１５時の間，設定温度２８℃以下で冷房運転させたい。ただし要求度が３であり、優先度は比較的低いことを表現している。
【００６４】
単要求Ｎｏ２＆３：この組合せにより，電力使用計画日（７／１）の１２時〜１５時の間，テレビとエアコンの両方を稼働させたいが，同時稼働が難しいならエアコンを優先したいという要求を表現している。
【００６５】
単要求Ｎｏ４：電気給湯器の要求度は冷蔵庫と同等に高いが，深夜に連続運転をするほどのものでもない。稼働時間帯は，冷蔵庫などの機器の稼働を優先して決定可で，調整の余地ありという要求を表現している。
【００６６】
単要求Ｎｏ４＆５：この組合せにより，電気給湯器の蓄熱運転を０時〜６時の間に１時間稼働させられる状況であれば，６時〜７時の間はエアコンを優先して稼働させたいという要求を表現している。
【００６７】
単要求Ｎｏ４＆６：この組合せにより，電力使用計画日（７／１）の０時〜６時の間に蓄熱運転を最低１時間，余力があれば２時間稼働させたいという要求を表現している。
【００６８】
単要求Ｎｏ７：任意の用途に使用できる電力を、どの程度確保しておくかを設定している。
【００６９】
図９に要求適合度データＤＢ３の具体事例を示している。要求適合度データＤＢ３は，機器稼働パターンデータＤＢ１が機器稼働要求データＤＢ２を満たしている度合いの評価値を与えるデータである。需要家機器稼働計画では，この要求適合度ができるだけ大きくなるように機器稼働パターンデータＤＢ１を求めて出力する。
【００７０】
要求適合度データＤＢ３は，需要家機器別の適合度とトータルの適合度で構成する。機器別の適合度は，機器稼働要求データＤＢ２の個々の機器稼働要求データ（単要求データ）のうち，機器稼働パターンデータを満足しているものを抽出し，その要求度を需要家機器別に集計し合計した値である。図７の機器稼働パターンＤＢ１の図４の機器稼働要求データＤＢ２に関する要求適合度の例を図９に示す。需要家Ｒ１についての具体事例での適合度は下記の状況である。
【００７１】
冷蔵庫は、０時〜２４時に常時稼働なので，適合度は要求度の数値そのままに「１０」。エアコンは、６時〜７時と１２時〜１５時で４時間稼働なので，適合度は要求度の数値「３」と「８」の合計であり、適合度は「１１」とする。電気給湯器は、０時〜７時に１．５時間蓄熱運転稼働なので，適合度は要求度の数値そのままに「１０」。テレビは、１２時〜１５時に３時間稼働なので，適合度は要求度の数値そのままに「１」。このため、トータルでは、上記の適合度の合計値「３２」とされる。
【００７２】
図１に戻り、データ管理部３４の需給バランスデータＤＢ４は，個々の機器稼働パターンデータＤＢ１で機器稼働させた場合の，需給バランス（＝供給力トータル−消費電力トータル），及び，太陽光発電装置ＰＶの発電出力，蓄電池の充放電電力，需要家内負荷機器の消費電力の変化パターンを与えるデータである。需給バランス＜０となる機器稼働パターンは，計画問題として実行不可能解である。実際には，各機器やブレーカの保護装置が動作して停電が発生することになる。
【００７３】
需給バランスの考え方の一例を図５の計画の４時から６時までの状態で説明する。この場合に供給力トータルとしては蓄電池の蓄電容量のみであり、夜間のため太陽光発電装置ＰＶの発電出力は期待できない。他方、消費電力トータルとしては、電気給湯器の蓄熱運転が対象である。
【００７４】
このバランス計算では、太陽光発電装置ＰＶの発電出力が立ち上がる例えば８時まで、蓄電池の蓄電容量のみで供給可能であることを確認する。同様の需給バランス確認は、他の時間帯についても計画された全ての需要家内負荷機器と、全ての需要家内発電機器とを対象として実行される。
【００７５】
なお、需給バランス＜０となる機器稼働パターンが存在する場合には、需要家からの提案計画が実行できないことになるので、ＤＳＭサーバから修正計画が提示されることになる。
【００７６】
供給力予測データＤＢ５は、需給バランスデータＤＢ４における需給バランスデータ作成で利用される。具体的には太陽光発電装置ＰＶの発電出力の気象特性データを予め管理しておき，外部から取得する気象予測データをあてはめて計算するか，あるいは，発電出力予測値自体を運用者や外部システムから与える。
【００７７】
需要家内負荷機器消費電力予測データＤＢ６は、需給バランスデータＤＢ４における需給バランスデータ作成で利用する。各需要家内負荷機器の消費電力の特性データ（気象特性，起動時特性，各種運用設定での部分負荷特性など）を予め管理しておき，外部から取得する気象予測データＤＢ７や機器稼働パターンデータＤＢ１をあてはめて計算する。
【００７８】
気象予測データＤＢ７は、太陽光発電装置ＰＶの発電出力や需要家内負荷機器の消費電力に影響を与える気象条件（天候，日射強度，気温，湿度など）の予測値を管理するデータである。運用者や外部システムから取得する。
【００７９】
機器特性データＤＢ８は、太陽光発電装置ＰＶの発電出力，蓄電池の充放電電力，需要家内負荷機器の消費電力に影響を与える機器特性データを予め管理しておくデータである。太陽光発電装置ＰＶの定格出力や気象特性，蓄電池の充電容量や充放電電力上限や効率，需要家内負荷機器の定格電力や気象特性や起動時特性や各種運用設定での部分負荷特性などである。
【００８０】
図１の需要家機器稼働計画部３２では、気象予測データＤＢ７、太陽光発電装置ＰＶの発電予測データＤＢ６、機器稼働要求データＤＢ２、機器特性データＤＢ８などを用いて需要家機器の機器稼働パターンＤＢ１を作成する。
【００８１】
需要家機器稼働計画部３２における処理は、大きく３段階に分けることができる。
【００８２】
第１段階は計画条件データの取得であり、計画対象期間内の気象予測データＤＢ７、太陽光発電装置ＰＶの発電予測データＤＢ５、機器稼働要求データＤＢ２、機器特性データＤＢ８をデータ管理部３４から取得する。
【００８３】
第２段階は需要家機器稼働パターンの作成である。第３段階は機器稼働パターン計画結果の出力であり、作成された機器稼働パターンを出力し、データ管理部３４に格納する。
【００８４】
以下、需要家機器稼働計画部３２の中核である第２段階の需要家機器稼働パターンの作成処理について説明する。
【００８５】
なお需要家機器稼働パターンの作成処理を実行するに際し、複数の機器稼働要求があり、これらは相互に制約を与える。このため，単純に要求度の高いものから順番に稼働時間を設定していくのでは，必ずしもトータルの適合度としては最大にならないケースもあり得る。
【００８６】
そのため、具体事例では、ノウハウに基づく戦略ルールベース方式のほか，ＧＡやタブーサーチ等のヒューリスティクス方式の適用などが考えられる。ここでは、戦略ルールベースとして下記のロジックを説明する。
【００８７】
需要家機器稼働パターンの作成処理では、詳細を図１０に沿って説明するが、その概略は以下のように行うものである。まず需要家要求をすべて受け入れた時のパターンを作成する。登録されている機器稼働要求の全てについて，稼働時間帯を全て稼働とするパターンを作成する。パターンは例えば３０分間隔で２４時間分準備する。
【００８８】
次に各時刻の需給バランスをチェックする。その結果、２４時間分についていずれの時刻でも供給が需要を上回ることが確認できる場合には、当初計画Ｐ１を最終案Ｐ２として提示する。
【００８９】
なお、この場合に供給余力は、他の需要家で活用することも考えられる。
あるいは、供給余力をこの需要家に還元して、初期計画以外の他の需要家内負荷機器の稼働を許可する方向の新たな計画を提案することでもよい。
【００９０】
対象期間の始端時刻から順に各時刻の需給バランスをチェックした結果，需給バランスが負の場合，すなわち供給力が不足する場合には，当該時刻またはそれ以前に稼働する需要家内負荷機器を１つ停止させる。当該時刻以前も含めて対象にするのは，地域内に蓄電池があり，当該時刻以前に機器稼働を停止させることで，蓄電池の充電残量が増加し，当該時刻の需給バランス改善が期待できるためである。
【００９１】
需要家機器稼働パターンの作成処理の詳細を図１０に沿って説明する。まずステップＳ１００では、需要家が希望し、入力した需要家要求をすべて受け入れた時のパターン（初期計画Ｐ１という）を作成する。パターンは例えば３０分間隔で２４時間分準備する。
【００９２】
次にステップＳ１０１では処理時間帯を初期状態のｔ０に設定する。なお、以降において需給バランスを計算するにあたり、需要は需要家内負荷機器であり、供給は蓄電池及び太陽光発電である。３０分ごとの処理時間帯別の大きさの差を２４時間にわたって計算することで、需給バランスを確認する。
【００９３】
需給バランス計算のためにステップＳ１０２では、まず当該時間帯での需要家内負荷機器の消費電力の計算を行う。これは、機器稼働パターンＤＢ１の当該時間帯の稼働状況に基づいて，機器特性データＤＢ８を参照し，当該時間帯の消費電力を計算する。
【００９４】
ステップＳ１０３では、同時間帯の発電電力を求める。これは、蓄電池残量を参照し、かつ供給力予測データＤＢ５から太陽光発電ＰＶによる供給量を計算して求める。
【００９５】
ステップＳ１０４では、当該時間帯の需給バランスの計算を（１）式により実行し，時刻ｔの需給バランスを計算する。
［数１］
需給バランス（ｔ）＝発電電力トータル（ｔ）−消費電力トータル（ｔ）・・・・（１）
ここで（１）式において発電電力トータル（ｔ）には太陽光発電ＰＶによる発電量が加味されている。太陽光発電ＰＶによる発電量は、供給力予測データＤＢ５の予測結果反映したものである。なお夜間には太陽光発電ＰＶによる発電量は貢献しえないので、蓄電池の放電量が供給量となる。
【００９６】
なお需給バランスを計算するにあたり、この計算は時間帯ごとの計算を繰り返し実行することになる。このため、次の時間帯の計算のためには、当該時間帯での蓄電池の運用結果を次の時間帯での蓄電池残量に反映させておく必要がある。このため、ステップＳ１０４での需給計算では、さらに（２）式と（３）式により，時間帯ｔでの蓄電池充電電力と蓄電池放電電力を計算し，この差分を反映した（４）式により需給バランスを更新させておくのがよい。
［数２］
蓄電池放電電力（ｔ）＝Ｍｉｎ｛Ｍａｘ｛−需給バランス（ｔ），０｝，許容放電電力（ｔ）｝
・・・・（２）
［数３］
蓄電池充電電力（ｔ）＝Ｍｉｎ｛Ｍａｘ｛  需給バランス（ｔ），０｝，許容充電電力（ｔ）｝
・・・・（３）
［数４］
需給バランス（ｔ）＝需給バランス（ｔ）＋蓄電池放電電力（ｔ）−蓄電池充電電力（ｔ）
・・・・（４）
ステップＳ１０５において、（４）式の結果を判断する。この時間帯での供給が需要を上回る場合には、ステップＳ１０６において時間帯を更新し、次の時間帯についてステップＳ１０２から再度実行する。
【００９７】
ステップＳ１０５の判断において、需給バランス（ｔ）＜０となり，時間帯ｔでは需給バランス不成立である場合には、ステップＳ１０７側に移り、この時間帯に稼働している需要家内負荷機器を停止して、再度（４）式の結果を判断してみる。
【００９８】
具体的には、ステップＳ１０７でこの時間帯に稼働している需要家内負荷機器が１台か複数台かを判断する。この時間帯に稼働している需要家内負荷機器が１台である場合には、ステップＳ１０８においてこの需要家内負荷機器を当該時間帯に使用しないものとしてステップＳ１０２に戻り、再度需給バランスを計算する。
【００９９】
なお、この需要家内負荷機器を当該時間帯に使用しないものとして再計算した結果も需給バランス不成立である場合には、今度は時間帯を遡って「需要家内負荷機器を前回時間帯に使用しない」ものとして、条件が合致するまで再計算を継続することになる。
【０１００】
条件に合致しないという状態は、機器稼働パターンデータＤＢ１に反映され、最終的に初期計画Ｐ１とは相違する修正計画Ｐ２として需要家に提案されることは言うまでもない。修正計画Ｐ２は修正された機器稼働パターンデータであり、これは修正機器稼働パターンである。
【０１０１】
ステップＳ１０７の判断で、稼働している機器が複数ある場合には，停止によって減少する適合度が最小となるものを，以下の考え方に従って選択する。この機器選択処理は、ステップＳ１０９で実行される。
【０１０２】
稼働機器複数の場合の機器選択処理の一例では、各機器稼働要求について，次のようにケース分けして３０分あたりの要求度を計算する。ケース１は、停止によって最小稼働時間を割り込まない場合であり、ケース２は停止によって最小稼働時間を割り込む場合である。
【０１０３】
前者の場合、ＲＱＩＴＥＭ３０ｉを機器稼働要求ｉの３０分あたりの要求度、ＲＱＩＴＥＭｉを機器稼働要求ｉに設定の要求度、ＴＮＵＭｉを機器稼働要求ｉに設定の稼働時間帯の３０分刻み数、ＭＩＮＯＴｉを機器稼働要求ｉに設定の最小稼働時間として、（５）式を実施する。
［数５］
ＲＱＩＴＥＭ３０ｉ＝ＲＱＩＴＥＭｉ÷ＴＮＵＭｉ      ・・・・（５）
後者の場合、（６）式を実施する。
［数６］
ＲＱＩＴＥＭ３０ｉ＝ＲＱＩＴＥＭｉ÷ＴＮＵＭｉ×ＭＩＮＯＴｉ      ・・・・（６）
以上の演算により求めた数値について、ＲＱＩＴＥＭ３０ｉが最小の機器稼働要求ｉを選択する。複数の候補がある場合には登録順が後のものを優先に選択する。
【０１０４】
また、選択された機器稼働要求ｉの機器について，当該時刻またはそれ以前のある時刻の稼働を停止する。さらに、当該時刻より前の機器稼働停止によって，蓄電池の充電残量が上限に張り付く場合には，その停止はキャンセルする。
【０１０５】
なお、当該時刻の需給バランスが依然として負の場合には，同様の考え方で停止する機器を追加する。当該時刻の全ての機器を停止させれば，当該時刻の前の需給バランスが負でない限りは，当該時刻の需給バランスは０以上になるので，必要な数の機器を追加停止させることで必ず需給バランスを０以上にできる。
【０１０６】
対象期間の始端時刻から順に終端時刻まで，上記の調整を行う。この結果、ステップＳ１０５において、全ての時間帯での電力供給が確保された場合には、ステップＳ１１０に移り、電力供給が確保された新しい機器稼働パターンを機器稼働パターンデータＤＢ１に記録する。新しい機器稼働パターンは、修正計画として需要家Ｒ２１に送られ、需要家端末ＥＭＳに表示される。図１１は、最終的にＤＳＭサーバから提案された修正計画を反映したＵＩ画面の一例を示している。
【０１０７】
修正画面では主に、下部領域の電力需給表示欄Ｗ２にＤＳＭサーバの判断結果が反映されている。需給バランス表示欄Ｗ２２を構成する太陽光発電ＰＶ，蓄電池残量、需要負荷及び需給バランスの項目ごとの時間帯別電力量表示欄Ｗ２３には、３０分間隔ごとの電力値が棒グラフ表示されている。
【０１０８】
これによれば、太陽光発電ＰＶによる発電量は６時過ぎから増大して、昼間にピークとなり、需要負荷は６時台とエアコンを使用する１２時過ぎに大きくなる。蓄電池残量は夜間の負荷として、朝方の給湯器負荷を賄い、午前中の無負荷状態で太陽光発電ＰＶによる充電を受けて回復し、午後のピーク負荷に備える。この結果、時間帯ごとの需給バランスは、その都度正負に変動しているが、蓄電池充放電によりトータルとして需給バランスが確保されることが検証されたものである。
【０１０９】
また修正画面では、ＤＳＭサーバにより定められた需要家内負荷機器の使用計画が需要家内負荷機器表示欄Ｗ１２に反映されている。修正内容は、需要家内負荷機器の運転時間短縮や、時間帯変更ばかりではなく、運転状態の変更あるいは運転温度の変更といった事項に及ぶ。
【０１１０】
また図１１の修正画面では、電気給湯器についての仮表示が確定表示として示されている。計画段階の図５、図６では夜間から早朝までの適宜の時間帯の２時間使用したいということであったので、６時半までの位置に仮表示させていたものを、図１１では６時までの２時間の確定した情報に基づく表示をしている。
【０１１１】
需要家端末ＥＭＳは、ＤＳＭサーバと協同して上記機能を実現するために、入力、表示を含め以下の機能や役割を有している。これらの機能達成のためには、ＤＳＭサーバの入出力部３０が行うべき機能も含まれる。
【０１１２】
まず図１の入出力部３０は、機器稼働パターンデータＤＢ１、機器稼働要求データＤＢ２、要求適合度データＤＢ３、需給バランスデータＤＢ４、供給力予測データＤＢ５、需要家内負荷機器消費電力予測データＤＢ６、気象予測データＤＢ７、機器特性データＤＢ８の各データの入力と表示を行う。
【０１１３】
また、入出力部３０は、図１１に示す需要家端末ＥＭＳの入力表示のためのユーザインタフェースを備え、下記の構成を備える。これを以下、インテリジェント＆インタラクティブＵＩ、または単にＩＩＵＩという。
【０１１４】
需要家端末ＥＭＳにおける要求内容の設定手段として、以下の機能を備えている。
【０１１５】
計画対象期間（時間帯別使用計画入力表示欄Ｗ１３）の空白部分をクリックして，要求枠（Ａ乃至Ｄ）を新規追加作成する。要求枠の時間軸方向の幅は、当該需要家内負荷機器を稼働させたい時間帯に応じて設定するが、各枠の左右の縦線をドラッグしてこれを調整する。稼働条件、最小稼働時間、要求度などの設定値はプルダウン設定，もしくは入力ボタンをクリックしてサブダイアログで入力する。
【０１１６】
需要家端末ＥＭＳにおける需要家毎の総要求度数枠（持ち点数）の設定手段として、以下の機能を備えている。
【０１１７】
ＤＳＭサーバ運用者にて，各需要家の総要求度数枠として持ち点数を設定する。需要家内負荷機器の設定点数は，各要求枠に入力した値を集計して表示する。需要家の設定点数は，各需要家内負荷機器の設定点数を集計して表示する。各需要家の設定点数が当該需要家の持ち点数を超過する場合には、エラーメッセージが表示する。
【０１１８】
需要家端末ＥＭＳにおける要求入力と計画結果のインタラクティブ連動表示手段として、以下の機能を備えている。
【０１１９】
要求設定ボタンをクリックすると，画面上で登録した内容を，機器稼働要求データに出力する。計画実行ボタンをクリックすると，出力された機器稼働要求データファイルに基づいて，機器稼働計画を策定し，その結果の稼働パターンを同じ画面上に表示する。各要求枠は，要求入力時点は全て白，計画実行後は，稼働とされたものは青，棄却されたものは赤で区別表示する。各需要家内負荷機器，需要家について，適合度を計算して表示する。
【０１２０】
需要家端末ＥＭＳにおける需給バランス表示手段として、以下の機能を備えている。
【０１２１】
計画結果の機器稼働パターンによる対象地域内トータルや需要家毎の需給バランスをグラフ表示する。
【０１２２】
需要家端末ＥＭＳにおける計画結果の調整手段として、以下の機能を備えている。
【０１２３】
棄却された赤の要求枠について，Ｆｉｘボタンをクリックすると，その要求枠の要求度を内部的に事前に定める定数倍で大きく換算して計画計算に反映する。その後，計画実行することで，Ｆｉｘした要求枠を前提として，機器稼働計画を策定する。この手段により、機器稼働要求が仮に棄却された場合に、この機器稼働要求を必ず許容するように強制許容を指定することが可能である。
【０１２４】
需要家端末ＥＭＳにおけるインテリジェント計画支援手段として、以下の機能を備えている。
【０１２５】
棄却された赤の要求枠をクリックすると，それをＦｉｘしたときに棄却することになる要求を赤点滅等で区別表示する。棄却された赤の要求枠のうち，それをＦｉｘしたときに適合度の減少量が小さいものを青点滅等で区別表示する。需要家内負荷機器登録すると，需要家毎の過去の設定状況から利用頻度の高い時間帯に，あるいは需要家内負荷機器の一般的な利用時間帯に，要求枠をデフォルト表示する。これにより、棄却された機器稼働要求を強制許容した場合に、代わりに棄却されることになる機器稼働要求を区別表示する。また、強制許容指定したときの影響が最も少ない、棄却された機器稼働要求を区別表示する。
【０１２６】
需要家端末ＥＭＳにおける需要家の電源や蓄電池の利用形態の設定手段として、以下の機能を備えている。
【０１２７】
需要家の電源や蓄電池を地域内で供用するかどうかをフラグ設定する。
【０１２８】
なお、上記以外にも需要家端末ＥＭＳの通信部は、機器稼働パターンデータをデータ管理部３４から取得し、通信ネットワークＮＷを介して、各需要家Ｒの需要家端末ＥＭＳに配信する。また、入出力部ＵＩの画面を通信ネットワークＮＷを介して各需要家端末ＥＭＳの表示手段に配信する。
【０１２９】
需要家端末ＥＭＳは、受信した機器稼働パターンデータに従って、各時刻の機器稼働状態変更の処理を行う。また、受信したＩＩＵＩのデータを表示手段に出力し、当該需要家の操作を受け付け、その操作情報を通信ネットワーク、需要家端末ＥＭＳ通信部を介して、入出力部に送信する。すなわち、各需要家は、需要家端末ＥＭＳの画面上で遠隔のＤＳＭサーバの入出力部のＩＩＵＩの操作を行う。
【０１３０】
なお以上の説明では，機器電力消費特性データ，蓄電池特性データ，太陽光発電装置ＰＶ発電予測データ，気象予測データを運用者が入力する形態を例として記述したが，これらは，他システムからＤＳＭサーバに与えられるとしても良い。
【０１３１】
また、需要家が複数の場合について説明したが、需要家が１件の場合にも自然にかつ容易に縮退して実現されることは明らかである。需要家が１件の場合には、上記ＤＳＭの機能が、需要家１件の機能として縮退して、需要家端末ＥＭＳに一体化して実装される。
【０１３２】
また、需要家端末ＥＭＳは独立して実現するか、太陽光発電装置ＰＶや蓄電池など、需要家機器の一部として実現しても良いことは明らかである。
【０１３３】
さらに太陽光発電装置ＰＶや蓄電池などを備えない需要家であっても、１日の総電力量を所定内に収めたい意向の需要家に対しても同様の考えに基づいて提案された計画に対して需給バランスを計算し、修正計画の提案を行う形で応用利用することが可能である。
【０１３４】
なお、本発明は上記した実施例に限定されるものではなく、様々な変形例が含まれる。例えば、上記した実施例は本発明を分かりやすく説明するために詳細に説明しているものであり、必ずしも説明したすべての構成を備えるものに限定されるものではない。また、ある実施例の構成の一部を他の実施例の構成に置き換えることが可能であり、またある実施例の構成に他の実施例の構成を加えることも可能である。また、各実施例の一部について、他の構成の追加、削除、置換をすることが可能である。
【０１３５】
また、上記の各構成、機能、処理部、処理手段などは、それらの一部または全部を、例えば集積回路で設計するなどによりハードウェアで実現してもよい。また、上記の各構成、機能などは、プロセッサがそれぞれの機能を実現するプログラムを解釈し、実行することによりソフトウェアで実現してもよい。各機能を実現するプログラム、テーブル、ファイルなどの情報は、メモリやハードディスク、ＳＳＤ（Ｓｏｌｉｄ  Ｓｔａｔｅ  Ｄｒｉｖｅ）などの記録装置、またはＩＣカード、ＳＤカード、ＤＶＤなどの記録媒体に置くことができる。
【０１３６】
また、制御線や情報線は説明上必要と考えられるものを示しており、製品上必ずしもすべての制御線や情報線を示しているとは限らない。実際にはほとんどすべての構成が相互に接続されていると考えてもよい。
【符号の説明】
【０１３７】
Ｒ：需要家
Ｇ：発電設備
Ｌ１：送電線
Ｔｒ１：変電所設置の変圧器
Ｌ２：高圧配電線
Ｒ１：大規模需要家
Ｔｒ２：柱上の変圧器
Ｌ３：低圧配電線
ＤＳＭ：ＤＳＭサーバ
ＮＷ：通信ネットワーク
ＥＭＳ需要家端末
Ｗ１：需要家内負荷機器の使用計画入力表示欄
Ｗ１１：需要家ＩＤ表示欄
Ｗ１２：需要家内負荷機器表示欄Ｗ
Ｗ１３：時間帯別使用計画入力表示欄
Ｗ２：電力需給表示欄
Ｗ２１：総合表示欄
Ｗ２２：需給バランス表示欄
Ｗ２３：時間帯別電力量表示欄
Ｂ２１、Ｂ２２，Ｂ２３：表示箱
ＰＶ：太陽光発電装置
ＥＶ：電気自動車
【図１】
2014054123.tif 000003
【図２】
2014054123.tif 000004
【図３】
2014054123.tif 000005
【図４】
2014054123.tif 000006
【図５】
2014054123.tif 000007
【図６】
2014054123.tif 000008
【図７】
2014054123.tif 000009
【図８】
2014054123.tif 000010
【図９】
2014054123.tif 000011
【図１０】
2014054123.tif 000012
【図１１】
2014054123.tif 000013